(57)【要約】【課題】ある表示部に表示されている表示情報に相当する表示情報を別の表示部に表示させる場合に、この別の表示部に表示させる表示情報が存在していなくても、表示の受け継ぎを適切に制御できるようにする。【解決手段】中央制御部１１は、メイン表示部１６、サブ表示部１７のうち、その一方の表示部（第１表示部）に表示されている第１表示情報に相当する第２表示情報を他方の表示部（第２表示部）に表示させる場合に、この第２表示情報が存在していなくても、第１表示情報に関連する第２表示情報を代替情報として特定して第２表示部に表示させる。【選択図】  図２
2011096178.tif 000002
【特許請求の範囲】
【請求項１】
第１表示部及び第２表示部の表示を制御する端末装置であって、
前記第１表示部用として用意されている第１表示情報群のうち、そのいずれかの第１表示情報が前記第１表示部に表示されている状態で、前記第２表示部への表示を指示する表示指示手段と、
この表示指示手段により第２表示部への表示が指示された場合に、前記第１表示情報群のうち、前記第１表示部に表示されている第１表示情報を検出する表示情報検出手段と、
前記第２表示部用として用意されている第２表示情報群のうち、前記表示情報検出手段により検出された第１表示情報に相当する第２表示情報が存在するか否かを判別する判別手段と、
この判別手段により存在しないと判別された場合に、前記第２表示情報群のうち、前記表示情報検出手段により検出された第１表示情報に関連する第２表示情報を代替情報として特定する特定手段と、
この特定手段により代替情報として特定された第２表示情報を前記第２表示部に表示させる表示制御手段と、
を備えることを特徴とする端末装置。
【請求項２】
前記表示制御手段は、前記判別手段により第１表示情報に相当する第２表示情報が存在すると判別された場合に、当該第２表示情報を前記第２表示部に表示させる、
ようにしたことを特徴とする請求項１記載の端末装置。
【請求項３】
前記第１表示情報群及び前記第２表示情報群は、それぞれ階層構造を成す表示情報群であり、
前記判別手段は、前記表示情報検出手段により検出された第１表示情報に相当する第２表示情報が存在しないと判別した場合には当該第１表示情報よりも階層が上の第１表示情報に相当する第２表示情報が存在するか否かを判別し、
前記特定手段は、前記判別手段により階層が上の第１表示情報に相当する第２表示情報が存在すると判別された場合に、当該第２表示情報を代替情報として特定する、
ようにしたことを特徴とする請求項１記載の端末装置。
【請求項４】
前記第１表示部に表示された第１表示情報を表示履歴として記憶管理する表示履歴記憶手段を更に備え、
前記判別手段は、前記表示情報検出手段により検出された第１表示情報に相当する第２表示情報が存在しないと判別した場合には、前記表示履歴記憶手段により記憶されている表示履歴を参照して、前記表示情報検出手段により検出された第１表示情報よりも前に表示された第１表示情報に相当する第２表示情報が存在するか否かを判別し、
前記特定手段は、前記判別手段により前に表示された第１表示情報に相当する第２表示情報が存在すると判別された場合に、当該第２表示情報を代替情報として特定する、
ようにしたことを特徴とする請求項１記載の端末装置。
【請求項５】
前記表示制御手段は、前記特定手段により代替情報として特定された第２表示情報を前記第２表示部に表示させると共に、前記第１表示部を非表示の状態にする、
ようにしたことを特徴とする請求項１記載の端末装置。
【請求項６】
前記第１表示情報群は、前記第１表示部用として用意されていて、当該第１表示部に応じてその基本的な表示形態を定義する基本表示情報群であり、
前記第２表示情報群は、前記第２表示部用として用意されていて、当該第２表示部に応じてその基本的な表示形態を定義する表示情報群であり、
前記特定手段は、前記第１表示部用の基本表示情報に相当する前記第２表示部用の基本表示情報が存在しない場合に、前記表示情報検出手段により検出された第１表示部用の基本表示情報に関連する第２表示部用の基本表示情報を代替情報として特定する、
ようにしたことを特徴とする請求項１記載の端末装置。
【請求項７】
前記第１表示部用の基本表示情報内のパラメータ情報を記憶するパラメータ情報記憶手段を更に備え、
前記第１表示情報群は、前記基本表示情報群のほか、前記パラメータ情報記憶手段により記憶されている各基本表示情報内のパラメータ情報であり、
前記特定手段は、前記表示情報検出手段により検出された前記第１表示部用の基本表示情報に関連する前記第２表示部用の基本表示情報を代替情報として特定すると共に、前記第１表示部用の基本表示情報に対応して前記パラメータ情報記憶手段により記憶されているパラメータ情報を代替情報として特定し、
前記表示制御手段は、前記特定手段により特定された前記第２表示部用の基本表示情報を前記第２表示部に表示させるほか、前記特定されたパラメータ情報を当該前記第２表示部用の基本表示情報内に表示させる、
ようにしたことを特徴とする請求項６記載の端末装置。
【請求項８】
当該端末装置本体の使用状態を示すスタイルを検出するスタイル手段を更に備え、
前記表示指示手段は、前記スタイル検出手段により所定のスタイルになったことが検出された場合に、前記第２表示部への表示を指示する、
ようにしたことを特徴とする請求項１記載の端末装置。
【請求項９】
前記第２表示部への表示を指示する指示操作を検出する操作検出手段を更に備え、
前記表示指示手段は、前記操作検出手段により第２表示部への表示を指示する指示操作が検出された場合に、前記第２表示部への表示を指示する、
ようにしたことを特徴とする請求項１記載の端末装置。
【請求項１０】
第１表示部及び第２表示部の表示を制御する端末装置であって、
前記第１表示部と第２表示部との表示切替を指示する切替指示手段と、
この切替指示手段により表示切替が指示された場合に、前記第１表示部又は前記第２表示部に表示されている情報を第１表示情報として検出する表示情報検出手段と、
この表示情報検出手段により検出された第１表示情報に相当する第２表示情報が存在するか否かを判別する判別手段と、
この判別手段により存在しないと判別された場合に、前記表示情報検出手段により検出された第１表示情報に関連する第２表示情報を代替情報として特定する特定手段と、
この特定手段により代替情報として特定された第２表示情報を前記第１表示情報が表示されていた表示部以外の表示部に表示させる表示制御手段と、
を備えることを特徴とする端末装置。
【請求項１１】
コンピュータに対して、
第１表示部用として用意されている第１表示情報群のうち、そのいずれかの第１表示情報が前記第１表示部に表示されている状態で、第２表示部への表示を指示する機能と、
前記第２表示部への表示が指示された場合に、前記第１表示情報群のうち、前記第１表示部に表示されている第１表示情報を検出する機能と、
前記第２表示部用として用意されている第２表示情報群のうち、前記検出された第１表示情報に相当する第２表示情報が存在するか否かを判別する機能と、
前記第１表示情報に相当する第２表示情報が存在しないと判別された場合に、前記第２表示情報群のうち、前記検出された第１表示情報に関連する第２表示情報を代替情報として特定する機能と、
前記特定された第２表示情報を前記第２表示部に表示させる機能と、
を実現させるためのプログラム。
【請求項１２】
コンピュータに対して、
第１表示部と第２表示部との表示切替を指示する機能と、
前記表示切替が指示された場合に、前記第１表示部又は前記第２表示部に表示されている情報を第１表示情報として検出する機能と、
前記検出された第１表示情報に相当する第２表示情報が存在するか否かを判別する機能と、
前記検出された第１表示情報に相当する第２表示情報が存在しないと判別された場合に、前記検出された第１表示情報に関連する第２表示情報を代替情報として特定する機能と、
前記代替情報として特定された第２表示情報を前記第１表示情報が表示されていた表示部以外の表示部に表示させる機能と、
を実現させるためのプログラム。
【発明の詳細な説明】
【技術分野】
【０００１】
本発明は、複数の表示部の表示を制御する端末装置及びプログラムに関する。
【背景技術】
【０００２】
従来、携帯電話機などのように、メインディスプレイとサブディスプレイとを備えた折り畳み式の携帯端末装置においては、メインディスプレイに画像が表示されている状態で蓋部が閉じられた際に、当該画像をその表示方向と同一の表示方向でサブディスプレイに表示させることにより、メインディスプレイの表示情報をサブディスプレイに受け継いで表示させることにより、メインディスプレイからサブディスプレイへの受け継ぎ表示を行うようにした技術が開示されている（特許文献１参照）。
【先行技術文献】
【特許文献】
【０００３】
【特許文献１】特開２００５−３１８０５８号公報
【発明の概要】
【発明が解決しようとする課題】
【０００４】
しかしながら、上述した先行技術にあっては、メインディスプレイからサブディスプレイへの受け継ぎ表示を実現可能とするために、ディスプレイの種類に応じてメインディスプレイ用として各種の表示情報と、サブディスプレイ用として各種の表示情報を予め用意しておかなければならないが、ディスプレイの特性（例えば、ディスプレイの大きさの相違、表示能力の相違、操作可能なキーの相違）、表示情報を記憶しておくための記憶容量の削減など、様々な理由により、メインディスプレイ用の表示情報とサブディスプレイ用の表示情報とが必ずしも１対１に対応しているとは限らず、例えば、メインディスプレイ用の表示情報しか存在しなかったり、サブディスプレイ用の表示情報しか存在しなかったりすることが多かった。
【０００５】
このような場合には、メインディスプレイからサブディスプレイへの受け継ぎ表示を行うことができないため、その受け継ぎ表示に代わって所定の初期画面（例えば、携帯電話機では待受画面）を一律に表示するしかないが、所定の初期画面を一律に表示することは、ユーザにとって、今まで行っていた操作が全て無駄になって最初から操作をやり直さなければならず、今までの操作の継続性を維持することができなくなる、という問題が起きる。
【０００６】
本発明の課題は、ある表示部に表示されている表示情報に相当する表示情報を別の表示部に表示させる場合に、その別の表示部に表示させる表示情報が存在していなくても、その表示を適切に制御できるようにすることである。
【課題を解決するための手段】
【０００７】
上述した課題を解決するために請求項１記載の発明は、第１表示部及び第２表示部の表示を制御する端末装置であって、前記第１表示部用として用意されている第１表示情報群のうち、そのいずれかの第１表示情報が前記第１表示部に表示されている状態で、前記第２表示部への表示を指示する表示指示手段と、この表示指示手段により第２表示部への表示が指示された場合に、前記第１表示情報群のうち、前記第１表示部に表示されている第１表示情報を検出する表示情報検出手段と、前記第２表示部用として用意されている第２表示情報群のうち、前記表示情報検出手段により検出された第１表示情報に相当する第２表示情報が存在するか否かを判別する判別手段と、この判別手段により存在しないと判別された場合に、前記第２表示情報群のうち、前記表示情報検出手段により検出された第１表示情報に関連する第２表示情報を代替情報として特定する特定手段と、この特定手段により代替情報として特定された第２表示情報を前記第２表示部に表示させる表示制御手段と、を備えることを特徴とする。
【０００８】
請求項１に従属する発明として、前記表示制御手段は、前記判別手段により第１表示情報に相当する第２表示情報が存在すると判別された場合に、当該第２表示情報を前記第２表示部に表示させる、ようにしたことを特徴とする請求項２記載の発明であってもよい。
【０００９】
請求項１に従属する発明として、前記第１表示情報群及び前記第２表示情報群は、それぞれ階層構造を成す表示情報群であり、前記判別手段は、前記表示情報検出手段により検出された第１表示情報に相当する第２表示情報が存在しないと判別した場合には当該第１表示情報よりも階層が上の第１表示情報に相当する第２表示情報が存在するか否かを判別し、前記特定手段は、前記判別手段により階層が上の第１表示情報に相当する第２表示情報が存在すると判別された場合に、当該第２表示情報を代替情報として特定する、ようにしたことを特徴とする請求項３記載の発明であってもよい。
【００１０】
請求項１に従属する発明として、前記第１表示部に表示された第１表示情報を表示履歴として記憶管理する表示履歴記憶手段を更に備え、前記判別手段は、前記表示情報検出手段により検出された第１表示情報に相当する第２表示情報が存在しないと判別した場合には、前記表示履歴記憶手段により記憶されている表示履歴を参照して、前記表示情報検出手段により検出された第１表示情報よりも前に表示された第１表示情報に相当する第２表示情報が存在するか否かを判別し、前記特定手段は、前記判別手段により前に表示された第１表示情報に相当する第２表示情報が存在すると判別された場合に、当該第２表示情報を代替情報として特定する、ようにしたことを特徴とする請求項４記載の発明であってもよい。
【００１１】
請求項１に従属する発明として、前記表示制御手段は、前記特定手段により代替情報として特定された第２表示情報を前記第２表示部に表示させると共に、前記第１表示部を非表示の状態にする、ようにしたことを特徴とする請求項５記載の発明であってもよい。
【００１２】
請求項１に従属する発明として、前記第１表示情報群は、前記第１表示部用として用意されていて、当該第１表示部に応じてその基本的な表示形態を定義する基本表示情報群であり、前記第２表示情報群は、前記第２表示部用として用意されていて、当該第２表示部に応じてその基本的な表示形態を定義する表示情報群であり、前記特定手段は、前記第１表示部用の基本表示情報に相当する前記第２表示部用の基本表示情報が存在しない場合に、前記表示情報検出手段により検出された第１表示部用の基本表示情報に関連する第２表示部用の基本表示情報を代替情報として特定する、ようにしたことを特徴とする請求項６記載の発明であってもよい。
【００１３】
請求項６に従属する発明として、前記第１表示部用の基本表示情報内のパラメータ情報を記憶するパラメータ情報記憶手段を更に備え、前記第１表示情報群は、前記基本表示情報群のほか、前記パラメータ情報記憶手段により記憶されている各基本表示情報内のパラメータ情報であり、前記特定手段は、前記表示情報検出手段により検出された前記第１表示部用の基本表示情報に関連する前記第２表示部用の基本表示情報を代替情報として特定すると共に、前記第１表示部用の基本表示情報に対応して前記パラメータ情報記憶手段により記憶されているパラメータ情報を代替情報として特定し、前記表示制御手段は、前記特定手段により特定された前記第２表示部用の基本表示情報を前記第２表示部に表示させるほか、前記特定されたパラメータ情報を当該前記第２表示部用の基本表示情報内に表示させる、ようにしたことを特徴とする請求項７記載の発明であってもよい。
【００１４】
請求項１に従属する発明として、当該端末装置本体の使用状態を示すスタイルを検出するスタイル手段を更に備え、前記表示指示手段は、前記スタイル検出手段により所定のスタイルになったことが検出された場合に、前記第２表示部への表示を指示する、ようにしたことを特徴とする請求項８記載の発明であってもよい。
【００１５】
請求項１に従属する発明として、前記第２表示部への表示を指示する指示操作を検出する操作検出手段を更に備え、前記表示指示手段は、前記操作検出手段により第２表示部への表示を指示する指示操作が検出された場合に、前記第２表示部への表示を指示する、ようにしたことを特徴とする請求項９記載の発明であってもよい。
【００１６】
上述した課題を解決するために請求項１０記載の発明は、第１表示部及び第２表示部の表示を制御する端末装置であって、前記第１表示部と第２表示部との表示切替を指示する切替指示手段と、この切替指示手段により表示切替が指示された場合に、前記第１表示部又は前記第２表示部に表示されている情報を第１表示情報として検出する表示情報検出手段と、この表示情報検出手段により検出された第１表示情報に相当する第２表示情報が存在するか否かを判別する判別手段と、この判別手段により存在しないと判別された場合に、前記表示情報検出手段により検出された第１表示情報に関連する第２表示情報を代替情報として特定する特定手段と、この特定手段により代替情報として特定された第２表示情報を前記第１表示情報が表示されていた表示部以外の表示部に表示させる表示制御手段と、を備えることを特徴とする
【００１７】
また、上述した課題を解決するために請求項１１記載の発明は、コンピュータに対して、第１表示部用として用意されている第１表示情報群のうち、そのいずれかの第１表示情報が前記第１表示部に表示されている状態で、第２表示部への表示を指示する機能と、前記第２表示部への表示が指示された場合に、前記第１表示情報群のうち、前記第１表示部に表示されている第１表示情報を検出する機能と、前記第２表示部用として用意されている第２表示情報群のうち、前記検出された第１表示情報に相当する第２表示情報が存在するか否かを判別する機能と、前記第１表示情報に相当する第２表示情報が存在しないと判別された場合に、前記第２表示情報群のうち、前記検出された第１表示情報に関連する第２表示情報を代替情報として特定する機能と、前記特定された第２表示情報を前記第２表示部に表示させる機能と、を実現させるためのプログラムを特徴とする。
【００１８】
また、上述した課題を解決するために請求項１２記載の発明は、コンピュータに対して、第１表示部と第２表示部との表示切替を指示する機能と、前記表示切替が指示された場合に、前記第１表示部又は前記第２表示部に表示されている情報を第１表示情報として検出する機能と、前記検出された第１表示情報に相当する第２表示情報が存在するか否かを判別する機能と、前記検出された第１表示情報に相当する第２表示情報が存在しないと判別された場合に、前記検出された第１表示情報に関連する第２表示情報を代替情報として特定する機能と、前記代替情報として特定された第２表示情報を前記第１表示情報が表示されていた表示部以外の表示部に表示させる機能と、を実現させるためのプログラム特徴とする。
【発明の効果】
【００１９】
本発明によれば、ある表示部に表示されている表示情報に相当する表示情報を別の表示部に表示させる場合に、その別の表示部に表示させる表示情報が存在していなくても、その表示を適切に制御することができ、利便性に富んだものとなる。
【図面の簡単な説明】
【００２０】
【図１】端末装置として適用した携帯電話機が利用可能な通信ネットワークシステムを示したブロック図。
【図２】携帯電話機１の基本的な構成要素を示したブロック図。
【図３】折り畳みタイプの携帯電話機の外観図で、（１）は、折り畳みを閉じたクローズスタイル、（２）は、折り畳みを開いた状態のオープンスタイル、（３）は、特殊なビュースタイルを示した図。
【図４】画面情報記憶部Ｍ３を説明するための図。
【図５】（１）〜（３）は、メイン表示部１６及びサブ表示部１７の画面表示例を示した図。
【図６】（１）〜（３）は、メイン表示部１６及びサブ表示部１７の他の画面表示例を示した図。
【図７】表示履歴記憶部Ｍ４を説明するための図。
【図８】スタイル情報記憶部Ｍ５を説明するための図。
【図９】携帯電話機の全体動作の概要を示したメインフローチャート。
【図１０】表示処理Ａ（図９のステップＡ１２）、表示処理Ｂ（図９のステップＡ１７）を詳述するためのフローチャート。
【図１１】階層を遡ることによって指定した代替画面を表示する代替画面表示処理Ａ（図１０のステップＢ１２）を詳述するためのフローチャート。
【図１２】表示履歴を遡ることによって指定した代替画面を表示する代替画面表示処理Ｂ（図１０のステップＢ１３）を詳述するためのフローチャート。
【発明を実施するための形態】
【００２１】
以下、図１〜図１２を参照して本発明の実施形態を説明する。
本実施形態は、端末装置として携帯電話機に適用した場合を例示したもので、図１は、この携帯電話機が利用可能な通信ネットワークシステムを示したブロック図である。
携帯電話機１には、音声通話機能、電子メール機能、インターネット接続機能（Ｗｅｂアクセス機能）などが備えられている。携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してインターネット３に接続されると、電子メールの送受信が可能となったり、Ｗｅｂページなどの情報を受信して閲覧可能となったりする。
【００２２】
図２は、携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。記憶部１３には、プログラム記憶部Ｍ１、各種情報一時記憶部Ｍ２、画面情報記憶部Ｍ３、表示履歴記憶部Ｍ４、スタイル情報記憶部Ｍ５などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００２３】
プログラム記憶部Ｍ１は、後述する図９〜図１２に示した動作手順に応じて本実施形態を実現するための基本プログラムやアプリケーションプログラム、それに必要な情報などを記憶する。各種情報一時記憶部Ｍ２は、フラグ情報、カウンタ情報、画面情報など、携帯電話機１が動作するために必要な各種の情報を一時的に記憶するワーク領域である。なお、画面情報記憶部Ｍ３、表示履歴記憶部Ｍ４、スタイル情報記憶部Ｍ５については、後で詳述するものとする。
【００２４】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１に対して出力すると、中央制御部１１は、音声信号処理部１５を介して通話用スピーカＳＰから音声出力させる。また、無線通信部１４は、通話用マイクＭＣからの入力音声データが音声信号処理１５から中央制御部１１を介して供給されると、送信ベースバンド信号に符号化した後、ベースバンド部の送信側に与えてアンテナＡＴ１から送信させる。
【００２５】
メイン表示部１６は、高精細液晶や有機ＥＬ（Electro Luminescence）を使用し、例えば、待受画像、アイコン、日時情報などのほか、各種のコンテンツ（テキストデータ、メール、Ｗｅｂページ）を表示する主要な表示部である。サブ表示部１７は、例えば、高精細液晶や有機ＥＬなどを使用し、アイコン、日時情報などのほか、各種のコンテンツを表示する副次的な表示部である。なお、例えば、メイン表示部１６のサイズは、４８０×８００ドットであるのに対して、サブ表示部１７のサイズは、４８０×６００ドットとなっているが、それらのサイズは任意である。なお、サブ表示部１７は、メモリ性表示デバイスの電子ペーパ（電気泳動ディスプレイ）を使用した構成であってもよい。また、メイン表示部１６、サブ表示部１７は、携帯電話機１に備えられている表示部に限らず、外部モニタなど、任意の外部表示装置であってもよい。
【００２６】
この実施形態においては、メイン表示部１６、サブ表示部１７のうち、その一方の表示部（第１表示部）に表示される第１表示部用の表示情報群と、他方の表示部（第２表示部）に表示される第２表示部用の表示情報群とが記憶管理されており、この第１表示部用の表示情報群内のいずれかの第１表示情報が第１表示部に表示されている状態において、その第１表示情報に相当する第２表示情報を第２表示部へ受け継ぎ表示（切り替え表示）させる場合に、第１表示情報に相当する第２表示情報が存在していれば、その第２表示情報を第２表示部に表示させるが、第１表示情報に相当する第２表示情報が存在していなければ、この第１表示情報に関連する第２表示情報を代替情報として特定して第２表示部に表示させるようにしている。なお、第１表示部用の表示情報群や第２表示部用の表示情報群とは、後述するが、画面フォームやデザインを定義する画面情報のほかに、この画面内の可変な情報（入力された文字、現在のカーソル位置、現在のハイライト表示など）を含めた情報であるが、そのいずれか一方の情報であってもよい。
【００２７】
操作部１８は、ダイヤル入力、文字入力、コマンド入力などを入力するもので、図示しないが、十字キー（決定キーやカーソルキー）や数値キー／文字キーのほか、メイン表示部１６、サブ表示部１７との間で表示の受け継ぎを指示（表示の切り替えを指示）するキーなど、各種のキーを備え、中央制御部１１は、この操作部１８からの入力操作信号に応じた処理を実行する。なお、操作部１８上の各種のキーは、ハードキー（押しボタン型ののキー）に限らず、ソフトーキー（タッチキー）であってもよい。ＲＴＣ（リアルタイムクロックモジュール）１９は、時計部を構成するもので、中央制御部１１は、ＲＴＣ１９から現在日時を取得する。報知部２０は、サウンドスピーカ２０Ａ、ＬＥＤ（発光ダイオード）２０Ｂ、振動モータ２０Ｃを備え、着信時に駆動されて着信報知を行うほか、アラーム報知時などでも駆動される。
【００２８】
スタイル検出部２１は、携帯電話機本体の使用状態を示すスタイルやスタイルが変更されたことを検出するもので、例えば、筐体の各所に磁石と磁力センサを配置した構成と成っている。中央制御部１１は、このスタイル検出部２１からの検出信号に基づいて現在のスタイルを判別する。テレビ放送受信部２２は、通信端末装置向けのワンセグ地上波デジタルテレビ放送のほか、電子番組表（ＥＰＧ情報）などの番組情報もアンテナＡＴ２を介して受信可能となっている。撮像処理部２３は、静止画撮影のほかに動画撮影も可能なカメラ機能を構成する。
【００２９】
図３は、携帯電話機の外観図である。
携帯電話機は、その本体を構成する複数の筐体の連結状態に応じて複数のスタイルに変更可能な２軸ヒンジタイプの携帯電話機であり、本体筐体Ａと表示部を有する表示筐体Ｂとを折り畳み開閉自在及び回動自在にヒンジ部Ｃを介して連結した構成となっている。このような２軸ヒンジタイプの携帯電話機は、本体筐体Ａと表示筐体Ｂとが、どのように連結されているかに応じて携帯電話機の形態を複数のスタイル（クローズスタイル、オープンスタイル、ビュースタイル）に変更可能となっている。
【００３０】
図３（１）は、本体筐体Ａと表示筐体Ｂとの折り畳みを閉じた状態（クローズスタイル）を示している。このクローズスタイルにおいて表示筐体Ｂの内側に配設したメイン表示部１６は、内側となって隠された状態となるが、表示筐体Ｂの外側に配設したサブ表示部１７は、外側となって露出した状態となる。図３（２）は、本体筐体Ａと表示筐体Ｂとの折り畳みを開いた状態のオープンスタイルを示している。このオープンスタイルにおいてはメイン表示部１６が内側となって露出した状態となるが、サブ表示部１７は外側に向いてその表示内容をそのままでは視認できない状態となっている。なお、本体筐体Ａの内面には、操作部１８及び通話用マイクＭＣが配設され、サブ表示部１７の内面には、メイン表示部１６のほか、通話用スピーカＳＰが配設されている。
【００３１】
図３（３）は、上述のオープンスタイルにおいて表示筐体Ｂを１８０°回転させた状態（反転させた状態）に変更した後、この状態から本体筐体Ａに対して表示筐体Ｂを折り畳んだ状態のビュースタイルを示している。このビュースタイルにおいてもメイン表示部１６は外側に露出した状態となり、ユーザ側からその表示内容を視認可能となるが、サブ表示部１７は内側に隠された状態となる。
【００３２】
図４は、画面情報記憶部Ｍ３を説明するための図である。
画面情報記憶部Ｍ３は、メイン表示部１６の特性などに応じてその基本的な表示形態（配置、色などの画面フォームやデザイン）を定義するメイン表示部用の画面情報群（基本表示情報群）を記憶したり、サブ表示部１７の特性などに応じてその基本的な表示形態（配置、色などの画面フォームやデザイン）を定義するサブ表示部用の画面情報群（基本表示情報群）を記憶したりするもので、「画面ＩＤ」、「画面名称」、「画面情報」、「構造情報」の項目を有する構成となっている。
【００３３】
「画面ＩＤ」及び「画面名称」は、各種の画面を識別するための画面識別情報であり、図示の例では、待受画面、メインメニュー、設定・ツールメニュー、ツールメニュー、…、発信メニュー、新しい発信番号入力画面、発信履歴リスト、お気に入りリスト、グループリスト、などの各種の画面を有している。「画面情報」は、上述したような基本表示情報であり、「メイン表示部」、「サブ表示部」の項目を有し、各種の画面に対応して「メイン表示部」には、メイン表示部用の画面情報が記憶され、「サブ表示部」にはサブ表示部用の画面情報が記憶されている。
【００３４】
ここで、「画面情報」の「メイン表示部」、「サブ表示部」に画面情報がそれぞれ記憶されている場合には、メイン表示部用の画面情報に相当するサブ表示部用の画面情報が１対１の関係で記憶されている場合であるが、「サブ表示部」に対応して“−”が記憶されている場合には、メイン表示部用の画面情報に相当するサブ表示部用の画面情報が記憶されていない（存在していない）ことを示している。なお、図示の例は、メイン表示部用の画面情報に相当するサブ表示部用の画面情報が存在していない場合を示したが、これとは逆に、サブ表示部用の画面情報に相当するメイン表示部用の画面情報が存在していない場合には、「メイン表示部」に対応して“−”が記憶される。
【００３５】
「構造情報」は、階層構造を成すメイン表示部用の画面情報群内において他の画面情報との関係性（階層の繋がり関係）を示し、また、サブ表示部用の画面情報群内において他の画面情報との関係性（階層の繋がり関係）を示すもので、例えば、図示の例において、「画面名称」が“メインメニュー”の「構造情報」は、メインメニュー群の第１階層（ルート）を示す情報、“設定・ツールメニュー”の「構造情報」は、メインメニュー群の第２階層を示す情報、“ツールメニュー”の「構造情報」は、メインメニュー群の第３階層を示す情報となる。また、「画面名称」が“発信メニュー”の「構造情報」は、発信メニュー群の第１階層、“グループリスト”の「構造情報」は、発信メニュー群の第２階層を示す情報となる。
【００３６】
図５は、メイン表示部１６及びサブ表示部１７の画面表示例を示した図である。なお、図中、左側の画面がメイン表示部１６の画面を示し、右側の画面がサブ表示部１７の画面を示している。
図５（１）は、待受画面を示した図で、メイン表示部１６の待受画面には、現在日時が表示されているほか、タッチキーとして、メインメニューを呼び出すためのメインキー、発信メニューを呼び出すための発信キーが設けられている。このメイン表示部１６の待受画面に対応して画面情報記憶部Ｍ３には、サブ表示部用の待受画面が存在しているため、図示のようにサブ表示部１７にもその待受画面が表示される。
【００３７】
図５（２）は、待受画面内の発信キーの操作に応じて表示された発信メニュー画面を示した図で、階層構造を成す発信メニュー群の第１階層の画面を示している。このメイン表示部１６の発信メニュー画面には、そのメニュー項目として、“１新しい発信”、“２発信履歴”、“３お気に入り”、“４グループ”が表示され、また、タッチキーとして、１つ前の画面を表示させる戻るキー、任意に選択したメニュー項目を確定させる決定キーが設けられている。このメイン表示部１６の発信メニュー画面に対応して画面情報記憶部Ｍ３には、サブ表示部用の発信メニュー画面が存在しているため、図示のようにサブ表示部１７にもその発信メニュー画面が表示される。なお、図示の例は、発信メニュー画面内の“４グループ”がハイライト表示（例えば、グレー表示）されて、グループリストのメニュー項目が選択されている状態を示している。
【００３８】
図５（３）は、発信メニュー画面内の“４グループ”が選択されている状態で決定キーが操作されることによって表示されたグループリスト画面を示した図で、階層構造を成す発信メニュー群の第２階層の画面を示している。このメイン表示部１６のグループリスト画面には、そのメニュー項目として、“１家族”、“２友人”、“３サークル”、“４会社”が表示され、タッチキーとして、戻るキー、決定キーが設けられている。なお、図示の例は、グループリスト画面内の“１家族”がハイライト表示されて、家族のメニュー項目が選択されている状態を示している。
【００３９】
このメイン表示部１６のグループリスト画面に対応して画面情報記憶部Ｍ３の「サブ表示部」は“−”となっていて、メイン表示部用のグループリスト画面に相当するサブ表示部用のグループリスト画面が存在していないため、図示のようにサブ表示部１７には、グループリスト画面は表示されない。なお、図中、破線で示した四角は、メイン表示部用の画面に相当するサブ表示部用の画面が存在していないことを示している。このような場合、この実施形態においては、それに代わる代替画面（後述する）をサブ表示部１７に表示させるようにしている。
【００４０】
図６は、メイン表示部１６及びサブ表示部１７の他の画面表示例を示した図である。なお、この場合においても、図中、左側の画面がメイン表示部１６の画面を示し、右側の画面がサブ表示部１７の画面を示している。
図６（１）は、図５（１）に示したメイン表示部１６の待受画面内において、そのメインキーの操作に応じて表示されたメインメニュー画面を示した図で、階層構造を成すメインメニュー群の第１階層の画面を示している。
【００４１】
メイン表示部１６のメインメニュー画面には、そのメニュー項目として升目状に配列された“設定・ツール”、“カメラ”、“テレビ”、“Ｗｅｂ”、“音楽”、“ゲーム”、“時計”、“メール”、“カレンダ”が表示され、また、タッチキーとして、戻るキー、決定キーが設けられている。このメイン表示部１６のメインメニュー画面に対応して画面情報記憶部Ｍ３には、サブ表示部用のメインメニュー画面が存在しているため、図示のようにサブ表示部１７にはメインメニュー画面が表示される。なお、図示の例は、メインメニュー画面内の“設定・ツール”がハイライト表示されて、設定・ツールのメニュー項目が選択されている状態を示している。
【００４２】
図６（２）は、メインメニュー画面内の“設定・ツール”が選択されている状態で決定キーが操作されることによって表示された設定・ツールメニュー画面を示した図で、階層構造を成すメインメニュー群の第２階層の画面を示している。このメイン表示部１６の設定・ツールメニュー画面には、そのメニュー項目として、“１表示設定”、“２通信設定”、“３ツール”が表示され、タッチキーとして、戻るキー、決定キーが設けられている。なお、図示の例は、設定・ツール画面内の“ツール”がハイライト表示されて、ツールのメニュー項目が選択されている状態を示している。
【００４３】
このメイン表示部１６の設定・ツールメニュー画面に対応して画面情報記憶部Ｍ３の「サブ表示部」は“−”となっていて、メイン表示部用の設定・ツールリスト画面に相当するサブ表示部用の設定・ツールメニュー画面が存在していないため、図示のようにサブ表示部１７にはその設定・ツールメニュー画面は表示されない。なお、図中、破線で示した四角は、メイン表示部用の画面に相当するサブ表示部用の画面が存在していないことを示し、この場合においてもその代替画面をサブ表示部１７に表示させるようにしている。
【００４４】
図６（３）は、設定・ツールメニュー画面内の“ツール”が選択されている状態で決定キーが操作されることによって表示されたツールメニュー画面を示した図で、階層構造を成すメインメニュー群の第３階層の画面を示している。このメイン表示部１６のツールメニュー画面には、そのメニュー項目として、“１電卓”、“２辞書”、“３メモ帳”、“４ボイスレコーダ”が表示され、タッチキーとして、戻るキー、決定キーが設けられている。なお、図示の例は、ツール画面内の“１電卓”がハイライト表示されて、電卓メニュー項目が選択されている状態を示している。このメイン表示部１６のツールメニュー画面に対応して画面情報記憶部Ｍ３の「サブ表示部」は“−”となっていて、メイン表示部用のツールメニュー画面に相当するサブ表示部用のツールメニュー画面が存在していないため、図示のように、サブ表示部１７にはツールメニュー画面は表示されてはいない。なお、図中、破線で示した四角は、メイン表示部用の画面に相当するサブ表示部用の画面が存在していないことを示している。
【００４５】
図７は、表示履歴記憶部Ｍ４を説明するための図である。
表示履歴記憶部Ｍ４は、メイン表示部１６又はサブ表示部１７に表示された画面の情報を表示履歴として時系列に順次記憶するもので、「表示日時」、「画面ＩＤ」、「パラメータ情報」、「表示部フラグ」の各項目を有している。「表示日時」は、画面が表示された日時を示し、「画面ＩＤ」は、表示された画面の画面ＩＤを示す。
【００４６】
「パラメータ情報」は、メイン表示部１６やサブ表示部１７に表示されている画面内に含まれている可変の情報（パラメータ情報）であり、ユーザ操作で任意に入力された項目の内容、自動生成された項目の内容、各種の識別表示などである。例えば、メニューやリストの画面であれば、項目の内容（項目の内容が発信履歴のように可変の場合）、識別表示（ハイライト表示や反転表示）の位置が「パラメータ情報」となり、また、文字入力用の画面であれば、入力中の文字、カーソル位置などが「パラメータ情報」となる。「表示部フラグ」は、画面がメイン表示部１６に表示されているのか、サブ表示部１７に表示されているのかを示すフラグで、“１”は、何らかの画面が現在表示中の表示部であることを示している。なお、表示履歴記憶部Ｍ４内の最新の表示履歴は、現在表示されている画面の情報となる。
【００４７】
図８は、スタイル情報記憶部Ｍ５を説明するための図である。
スタイル情報記憶部Ｍ５は、どのスタイルのときに画面をメイン表示部１６に表示させるのかサブ表示部１７に表示させるのかを示すスタイル情報を記憶するもので、「スタイル」、「表示部」の項目を有している。図示の例では、クローズスタイルのときにサブ表示部１７に画面を表示させ、オープンスタイル及びビュースタイルのときにメイン表示部１６に画面を表示させるようにしている。すなわち、本実施形態ではスタイルによって露出する表示部に画面を表示させ、スタイルによって隠される表示部の画面を消去するようにしている。
【００４８】
このようなスタイルの変更に応じて中央制御部１１は、メイン表示部１６からサブ表示部１７に画面を受け継いで表示（切り替え表示）させたり、サブ表示部１７からメイン表示部１６に画面を受け継いで表示（切り替え表示）させたりするようにしている。例えば、中央制御部１１は、メイン表示部１６に表示されるメイン表示部用の画面情報群のうち、そのいずれかの画面情報がメイン表示部１６に表示に表示されている状態において、オープンスタイル又はビュースタイルからクローズスタイルに変更されたものとすると、画面情報記憶部Ｍ３を参照し、メイン表示部１６に表示されているメイン表示部用の画面情報に相当するサブ表示部用の画面情報が存在しているかを判別する。
【００４９】
その結果、サブ表示部用の画面情報が存在していれば、このサブ表示部用の画面情報を読み出してサブ表示部１７に表示させると共に、表示履歴記憶部Ｍ４を参照し、メイン表示部１６に現在表示されている画面の「パラメータ情報」を表示履歴として読み出して、サブ表示部用の画面内に反映（再現）表示させるようにしている。また、メイン表示部１６に表示されているメイン表示部用の画面情報に相当するサブ表示部用の画面情報が存在していなければ、サブ表示部１７に表示されるサブ表示部用の画面情報群のうち、上述のメイン表示部用の画面情報に関連するサブ表示部用の画面情報を代替情報として特定し、この代替情報としてのサブ表示部用の画面情報をサブ表示部１７に表示させるようにしている。
【００５０】
なお、上述のような受け継ぎ表示は、オープンスタイル又はビュースタイルからクローズスタイルに変更された場合に限らず、クローズスタイルからオープンスタイル又はビュースタイルに変更された場合も同様である。この場合には、サブ表示部１７からメイン表示部１６への受け継ぎ表示が行われる。また、スタイルの変更時に限らず、表示の受け継ぎを指示するキー操作（表示指示操作）が行われた場合も同様で、メイン表示部１６からサブ表示部１７への受け継ぎ表示が行われたり、サブ表示部１７からメイン表示部１６への受け継ぎ表示が行われたりする。
【００５１】
次に、本実施形態における携帯電話機１の動作概念を図９〜図１２に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００５２】
図９は、携帯電話機の全体動作の概要を示したメインフローチャートである。
先ず、中央制御部１１は、電源を投入する電源オン操作が行われると（ステップＡ１でＹＥＳ）、基地局２Ａとの間で通信を行って位置を登録する待受処理を行った後（ステップＡ２）、スタイル検出部２１の検出結果に基づいて現在のスタイルを判別する（ステップＡ３）。その結果、クローズスタイルであれば（ステップＡ４でＹＥＳ）、画面情報記憶部Ｍ３からサブ表示部用の待受画面の画面情報を読み出してサブ表示部１７に待受画面を表示させ（ステップＡ５）、その他のスタイル（オープンスタイル、ビュースタイル）であれば（ステップＡ４でＮＯ）、画面情報記憶部Ｍ３からメイン表示部用の待受画面の画面情報を読み出してメイン表示部１６に待受画面を表示させる（ステップＡ６）。
【００５３】
このようにして新たな画面を表示させると、その新たな画面表示に応じて表示履歴記憶部Ｍ４に最新の表示履歴を追加記憶させた後（ステップＡ７）、何らかの操作を検出したかを調べたり（ステップＡ８）、スタイルの変更を検出したかを調べたり（ステップＡ１６）、着信を検出したかを調べたりする（ステップＡ１８）。いま、何らかの操作を検出したときには（ステップＡ８でＹＥＳ）、それは電源オフ操作であるか（ステップＡ９）、メイン表示部１６又はサブ表示部１７への画面の表示を指示する表示指示操作（表示切替操作）であるか、その他の操作であるかを調べる（ステップＡ１１）。
【００５４】
電源オフ操作であれば（ステップＡ９でＹＥＳ）、電源オフ処理を行って（ステップＡ１０）、このフローの終了となるが、その他の操作であれば（ステップＡ１１でＮＯ）、発信メニュー画面など、操作に応じた画面をメイン表示部１６又はサブ表示部１７に表示させると共に（ステップＡ１３）、この新たな画面の表示に応じて表示履歴記憶部Ｍ４に最新の表示履歴を追加記憶させる（ステップＡ１４）。そして、発信動作など、操作に応じた動作を実行した後（ステップＡ１５）、上述のステップＡ８に戻る。
【００５５】
また、メイン表示部１６又はサブ表示部１７への画面の表示を指示する表示指示操作（表示切替操作）が行われたときには（ステップＡ１１でＹＥＳ）、後述する表示処理Ａを実行した後（ステップＡ１２）、上述のステップＡ８に戻る。また、スタイル検出部２１によりスタイルの変更が検出されたときには（ステップＡ１６でＹＥＳ）、後述する表示処理Ｂを実行した後（ステップＡ１７）、上述のステップＡ８に戻る。また、着信を検出したときには（ステップＡ１８でＹＥＳ）、通話可能状態とする通話処理を行った後（ステップＡ１９）、上述のステップＡ８に戻る。
【００５６】
図１０は、表示処理Ａ（図９のステップＡ１２）、表示処理Ｂ（図９のステップＡ１７）を詳述するためのフローチャートである。
先ず、中央制御部１１は、上述の表示指示操作に応じて表示処理Ａが実行開始された場合には、その操作によって表示指示された表示部（メイン表示部１６又はサブ表示部１７）に対して画面の表示を指示する表示指示信号を発生する（ステップＢ１）。例えば、メイン表示部１６からサブ表示部１７への受け継ぎを指示する表示指示操作の場合には、サブ表示部１７に対して表示指示信号を発生し、サブ表示部１７からメイン表示部１６への受け継ぎを指示する表示指示操作の場合には、メイン表示部１６に対して表示指示信号を発生する。
【００５７】
他方、スタイル変更に応じて表示処理Ｂが実行開始された場合には、スタイル検出部２１により変更後のスタイルを検出すると共に（ステップＢ１４）、この変更後のスタイルに基づいてスタイル情報記憶部Ｍ５を検索し、そのスタイル情報として「表示部」を読み出し（ステップＢ１５）、この「表示部」によって指定されるメイン表示部１６又はサブ表示部１７に対して表示指示信号を発生する（ステップＢ１６）。例えば、変更後がクローズスタイルであれば、サブ表示部１７に対して表示指示信号を発生するが、オープンスタイル又はビュースタイルであれば、メイン表示部１６に対して表示指示信号を発生する。
【００５８】
このように表示処理Ａ又は表示処理Ｂが実行開始されて表示指示信号を発生した後は（ステップＢ１、Ｂ１６）、次のステップＢ２に移り、表示履歴記憶部Ｍ４から最新の表示履歴を読み出す。例えば、メイン表示部１６からサブ表示部１７への表示指示の場合には、最新の表示履歴として、メイン表示部１６に現在表示されている画面の「画面ＩＤ」を読み出し、また、サブ表示部１７からメイン表示部１６への表示指示の場合には、最新の表示履歴として、サブ表示部１７に現在表示されている画面の「画面ＩＤ」を読み出す。次に、表示指示された表示部は、何らかの画面を現在表示中であるか、つまり、その表示部に対応付けられている「表示部フラグ」が“１”になっているかを調べる（ステップＢ３）。
【００５９】
いま、「表示部フラグ」が“１”になっている場合、つまり、表示指示された表示部に何らかの画面が表示されている場合には（ステップＢ３でＹＥＳ）、今回の表示指示を無効とするために、図１０のフローから抜けて、図９のステップＡ８に戻る。また、表示指示された表示部に何の画面も表示されていない非表示状態の場合には（ステップＢ３でＮＯ）、上述のステップＢ２で読み出した「画面ＩＤ」、つまり、最新の表示履歴である画面（現在表示されている画面）の「画面ＩＤ」に基づいて画面情報記憶部Ｍ３を検索し（ステップＢ４）、表示指示された表示部用の画面情報群の中に、現在表示中の画面に相当する画面情報が存在しているかを判別する（ステップＢ５）。
【００６０】
例えば、図５（２）に示すように、メイン表示部１６に発信メニュー画面が表示されている状態で、メイン表示部１６からサブ表示部１７への表示が指示された場合には、メイン表示部用の発信メニュー画面に相当するサブ表示部用の発信メニュー画面は、サブ表示部用の画面情報群の中に存在しているので（ステップＢ５でＹＥＳ）、次のステップＢ６に移り、現在表示中の画面、この例ではメイン表示部１６の発信メニュー画面に対応する「パラメータ情報」を表示履歴記憶部Ｍ４から読み出した後、現在表示中の表示部の画面を消去する（ステップＢ８）。そして、表示指示された表示部、この例ではサブ表示部１７にそのサブ表示部用の画面（発信メニュー画面）を表示させる（ステップＢ８）。
【００６１】
そして、上述のステップＢ６で読み出した「パラメータ情報」を、表示指示された表示部の画面内に反映表示させる（ステップＢ９）。この場合、メイン表示部１６内のハイライト表示“４グループ”がサブ表示部１７の画面（発信メニュー画面）内にそのまま反映表示されて再現される。そして、この画面の表示に応じて表示履歴記憶部Ｍ４に最新の表示履歴を追加記憶させた後（ステップＢ１０）、図１０のフローから抜けて図９のステップＡ８に戻る。
【００６２】
また、サブ表示部１７からメイン表示部１６への表示が指示された場合にも同様に、サブ表示部用の発信メニュー画面に相当するメイン表示部用の発信メニュー画面は、メイン表示部用の画面情報群の中に存在しているので（ステップＢ５でＹＥＳ）、サブ表示部１７の発信メニュー画面に対応する「パラメータ情報」を読み出した後（ステップＢ６）、このサブ表示部１７の発信メニュー画面を消去する（ステップＢ７）。そして、メイン表示部１６にそのメイン表示部用の発信メニュー画面を表示させると共に（ステップＢ８）、サブ表示部１７内のハイライト表示“４グループ”をメイン表示部１６に反映表示させる（ステップＢ９）。そして、この画面の表示に応じて表示履歴記憶部Ｍ４に最新の表示履歴を追加記憶させた後（ステップＢ１０）、図９のステップＡ８に戻る。
【００６３】
一方、表示指示された表示部用の画面情報群の中に、現在表示中の画面情報に相当する画面情報が存在していなければ（ステップＢ５でＮＯ）、代替画面表示処理に移る（ステップＢ１１〜Ｂ１３）。この代替画面表示処理は、表示指示された表示部用の画面情報群のうち、現在表示中の画面情報に関連する画面情報を代替情報として特定して表示させる処理で、どのような画面を代替画面とするかを指定する代替種指定フラグを参照し、画面情報の階層を遡って代替画面を指定するか、画面情報の表示履歴を遡って代替画面を指定するかを判別する（ステップＢ１１）。いま、代替指定フラグが“１”、つまり、階層を遡って代替画面を指定する場合には（ステップＢ１１でＹＥＳ）、代替画面表示処理Ａに移るが（ステップＢ１２）、代替指定フラグが“０”、つまり、表示履歴を遡って代替画面を指定する場合には（ステップＢ１１でＮＯ）、代替画面表示処理Ｂに移る（ステップＢ１３）。なお、代替指定フラグは、ユーザが操作によって任意に指定できるものとする。
【００６４】
図１１は、階層を遡ることによって指定した代替画面を表示する代替画面表示処理Ａ（図１０のステップＢ１２）を詳述するためのフローチャートである。
先ず、中央制御部１１は、画面情報記憶部Ｍ３から現在表示中の表示部用の画面情報群を読み出すと共に（図１１のステップＣ１）、カウンタＮの値をその初期値“１”とする（ステップＣ２）。この場合、カウンタＮは、現在表示中の画面情報の階層よりもＮ個分上の階層を指定するもので、中央制御部１１は、現在表示中の表示部用の画面情報群に対応付けられている「階層情報」を参照することによって、現在表示中の画面情報の階層よりもＮ個分上に遡った階層の画面が存在しているかを判別する（ステップＣ３）。最初は、このカウンタＮの値が「１」であるから１階層上の画面が存在しているかを判別する。
【００６５】
いま、図５（２）に示すように、メイン表示部１６に発信メニュー群の第１階層の画面（発信メニュー画面）が表示されている場合、あるいは図６（１）に示すように、メイン表示部１６にメインメニュー群の第１階層の画面（メインメニュー画面）が表示されている場合には、それよりも１階層上の画面情報は存在しないため（ステップＣ３でＮＯ）、次のステップＣ４に移り、表示中の表示部の画面を消去、この例では、メイン表示部１６の発信メニュー画面又はメインメニュー画面を消去する。そして、表示指示された表示部（この例では、サブ表示部１７）に待受画面を表示させると共に（ステップＣ５）、この画面の表示に応じて表示履歴記憶部Ｍ４に最新の表示履歴を追加記憶させた後に（ステップＣ１２）、図１１のフローから抜ける。
【００６６】
また、図５（３）に示すように、メイン表示部１６に発信メニュー群の第２階層の画面（グループリスト画面）が表示されている場合には、それよりも１階層上の画面情報として発信メニュー群の第１階層の画面（発信メニュー画面）が存在し、また、図６（３）に示すように、メイン表示部１６にメインメニュー群の第３階層の画面（ツールメニュー画面）が表示されている場合には、それよりも１階層上の画面として設定・ツールメニュー画面が存在している。このような場合には、ステップＣ３からステップＣ６に移り、表示指示された表示部用の画面情報群の中に、その画面（上述したＮ個上の階層の画面）に相当する画面情報が存在しているかを判別する。ここで、表示指示された表示部（この例では、サブ表示部１７）の画面情報群の中には、メイン表示部１６のグループリスト画面よりも１階層上の発信メニュー画面に相当するサブ表示部用の発信メニュー画面（図５（２）参照）が存在しているので（ステップＣ６でＹＥＳ）、その画面（サブ表示部用の発信メニュー画面）を代替画面として特定する（ステップＣ７）。
【００６７】
そして、現在表示中の画面よりもＮ個分上の階層の画面（メイン表示部用の発信メニュー画面）に対応する「パラメータ情報」を表示履歴記憶部Ｍ４から読み出した後（ステップＣ８）、現在表示中の表示部の画面（メイン表示部用のグループリスト画面）を消去する（ステップＣ９）。そして、表示指示された表示部（この例ではサブ表示部１７）に、代替画面として特定した画面（サブ表示部用の発信メニュー画面）を表示させる（ステップＢ１０）。そして、上述のステップＣ３で読み出した「パラメータ情報」を表示指示された表示部の画面内に反映表示させる（ステップＣ１１）。この場合、メイン表示部１６内のハイライト表示“４グループ”がサブ表示部１７にそのまま反映表示されて再現される。そして、この画面の表示に応じて表示履歴記憶部Ｍ４に最新の表示履歴を追加記憶させた後（ステップＣ１２）、図１１のフローの終了となる。
【００６８】
また、図６（３）に示すように、メイン表示部１６にメインメニュー群の第３階層の画面（ツールメニュー画面）が表示されている場合には、それよりも１階層上の画面として設定・ツールメニュー画面が存在しているが（ステップＣ３でＹＥＳ）、サブ表示部用の画面情報群の中には、メイン表示部用の設定・ツールメニュー画面に相当するサブ表示部用の設定・ツールメニュー画面は存在していないので（ステップＣ６でＮＯ）、次のステップＣ１３に移り、カウンタＮに“１”を加算してその値を更新する処理を行った後、上述のステップＣ３に戻る。
【００６９】
この場合、カウンタＮの値は“２”に更新されるので、現在表示中の画面（ツールメニュー画面）よりも２階層上の画面としてメインメニュー画面が存在し（ステップＣ３でＹＥＳ）、かつ、このメイン表示部用のメインメニュー画面に相当するサブ表示部用のメインメニュー画面が存在しているので（ステップＣ６でＹＥＳ）、以下、上述の場合と同様に、その画面を代替画面として特定すると共に（ステップＣ７）、メイン表示部１６に表示されている画面（メインメニュー画面）の「パラメータ情報」を読み出す（ステップＣ８）。
【００７０】
そして、メイン表示部１６の画面を消去する（ステップＣ９）。そして、サブ表示部１７にそのサブ表示部用の画面（発信メニュー画面）を代替画面として表示させると共に（ステップＣ１０）、サブ表示部１７の画面内にパラメータを反映表示させる（ステップＣ１１）。この場合、メイン表示部１６内のハイライト表示“設定・ツール”がサブ表示部１７にそのまま反映表示されて再現される。そして、この画面の表示に応じて表示履歴記憶部Ｍ４に最新の表示履歴を追加記憶させた後（ステップＣ１２）、図１１のフローの終了となる。
【００７１】
図１２は、表示履歴を遡ることによって指定した代替画面を表示する代替画面表示処理Ｂ（図１０のステップＢ１３）を詳述するためのフローチャートである。
先ず、中央制御部１１は、表示履歴記憶部Ｍ４から現在表示中の表示部の表示履歴を読み出すと共に（図１２のステップＤ１）、カウンタＮの値をその初期値“１”とする（ステップＤ２）。この場合、カウンタＮは、最新の表示履歴（現在表示中の画面の情報）よりもＮ個分前に遡った表示履歴を指定するもので、中央制御部１１は、現在表示中の表示部に対応付けられている表示履歴を参照することによって、最新の表示履歴よりもＮ個分前の表示履歴が存在しているかを判別する（ステップＤ３）。ここで、現在表示中の画面が最初の表示履歴であれば、それよりも前の表示履歴は存在しないので（ステップＤ３でＮＯ）、次のステップＤ４に移り、表示中の表示部の画面を消去する。そして、表示指示された表示部に待受画面を表示させると共に（ステップＤ５）、この画面の表示に応じて表示履歴記憶部Ｍ４に最新の表示履歴を追加記憶させた後に（ステップＤ１３）、図１２のフローから抜ける。
【００７２】
また、最新の表示履歴よりもＮ個前に表示履歴が存在している場合（ステップＤ３でＹＥＳ）、例えば、図５（３）に示すメイン表示部１６にグループリスト画面の１個前の表示履歴として、図５（２）に示すような発信メニュー画面が存在している場合、又は、図６（３）に示すメイン表示部１６にツールメニュー画面の１個前の表示履歴として、図６（２）に示すような設定・ツールメニュー画面が存在している場合には、次のステップＤ６に移り、表示指示された表示部用の画面情報群の中に、その画面（上述したＮ個前の画面）に相当する画面情報が存在しているかを判別する。
【００７３】
この場合、図５（２）に示すように、表示指示された表示部（この例では、サブ表示部１７）の画面情報群の中には、メイン表示部用の発信メニュー画面に相当するサブ表示部用の発信メニュー画面が存在しているので（ステップＤ６でＹＥＳ）、その画面（サブ表示部用の発信メニュー画面）を代替画面として特定する（ステップＤ７）。そして、最新の表示履歴よりもＮ個分前の表示履歴に対応する「パラメータ情報」を表示履歴記憶部Ｍ４から読み出した後（ステップＤ８）、現在表示中の表示部の画面を消去する（ステップＤ９）。
【００７４】
そして、表示指示された表示部（この例ではサブ表示部１７）に、代替画面として特定した画面（サブ表示部用の発信メニュー画面）を表示させた後（ステップＤ１０）、上述のステップＤ８で読み出した「パラメータ情報」を、表示指示された表示部の画面内に反映表示させる（ステップＤ１１）。この場合、メイン表示部１６内のハイライト表示“４グループ”がサブ表示部１７にそのまま反映表示されて再現される。そして、この画面の表示に応じて表示履歴記憶部Ｍ４に最新の表示履歴を追加記憶させた後（ステップＤ１２）、図１２のフローの終了となる。
【００７５】
また、図６（３）に示すように、メイン表示部１６にメインメニュー群の第３階層の画面（ツールメニュー画面）が表示されている場合には、それよりも１個前の表示履歴の画面として設定・ツールメニュー画面が存在しているが（ステップＤ３でＹＥＳ）、このメイン表示部用の設定・ツールメニュー画面に相当するサブ表示部用の設定・ツールメニュー画面は存在していないので（ステップＤ６でＮＯ）、次のステップＤ１３に移り、カウンタＮに“１”を加算してその値を更新する処理を行った後、上述のステップＤ３に戻る。
【００７６】
この場合、カウンタＮの値は“２”に更新されるので、現在表示中の画面よりも２個前の表示履歴の画面が存在しているかを調べるが、現在表示中の画面（ツールメニュー画面）よりも２個前の表示履歴の画面として、例えばメインメニュー画面が存在している場合には（ステップＤ３でＹＥＳ）、このメイン表示部用のメインメニュー画面に相当するサブ表示部用のメインメニュー画面が存在しているので（ステップＤ６でＹＥＳ）、以下、上述の場合と同様に、その画面を代替画面として特定する（ステップＤ７）。
【００７７】
そして、メイン表示部１６に表示されている画面よりも２個前の画面（メインメニュー画面）の「パラメータ情報」を読み出した後（ステップＤ８）、現在表示中のツールメニュー画面を消去する（ステップＤ９）。そして、サブ表示部１７にその発信メニュー画面を代替画面として表示させると共に（ステップＤ１０）、上述の「パラメータ情報」をサブ表示部１７の画面内に反映表示させる（ステップＤ１１）。そして、この画面の表示に応じて表示履歴記憶部Ｍ４に最新の表示履歴を追加記憶させた後（ステップＤ１２）、図１２のフローの終了となる。
【００７８】
以上のように、この実施形態において中央制御部１１は、メイン表示部１６、サブ表示部１７のうち、その一方の表示部（第１表示部）に表示されている第１表示情報に相当する第２表示情報を他方の表示部（第２表示部）に表示させる場合に、この第２表示情報が存在していなくても、第１表示情報に関連する第２表示情報を代替情報として特定して第２表示部に表示させるようにしたので、第２表示部への表示を適切に制御することができ、利便性に富んだものとなる。
【００７９】
また、第１表示部に表示されている第１表示情報に相当する第２表示情報が存在する場合には、この第２表示情報を第２表示部に表示させるようにしたので、同じような内容の情報を第２表示部に表示させることができ、作業の継続性に富んだものとなる。
【００８０】
階層構造の第１表示情報を表示させているときに、第１表示部に表示されている第１表示情報に相当する第２表示情報が存在しない場合には、この第１表示情報よりも階層が上の第２表示情報を代替情報として表示させるようにしたので、階層に従った適切な表示制御が可能となり、最上位階層に戻さず、間近な階層に戻すことができ、作業の継続性が富んだものとなる。
【００８１】
第１表示部に表示されている第１表示情報に相当する第２表示情報が存在しない場合には、表示履歴記憶部Ｍ４を参照して、第１表示部に表示されている第１表示情報よりも前に表示された第１表示情報に相当する第２表示情報を代替情報として表示特定するようにしたので、表示履歴に従った適切な表示制御が可能となり、最初に表示させた表示履歴に戻さず、間近な表示履歴に戻すことができ、作業の継続性が富んだものとなる。
【００８２】
代替情報として特定された第２表示情報を第２表示部に表示させると共に、第１表示部を非表示の状態とするようにしたので、不要な表示を停止して、表示制御に関する電力消費を抑制することができると共に、第１表示部から第２表示部への受け継ぎ（切り替わり）表示が自然なものとなる。
【００８３】
第１表示情報は、第１表示部の基本的な表示形態を定義する画面情報（基本表示情報）であり、第２表示情報は、第２表示部の基本的な表示形態を定義する画面情報（基本表示情報）であり、この第１表示部用の画面情報に関連する第２表示部用の画面情報を代替情報として特定するようにしたので、同じような表示形態の画面を第２表示部に表示させることができ、作業の継続性に富んだものとなる。
【００８４】
第１表示部用の画面情報内のパラメータ情報が表示履歴として記憶されていると共に、第１表示部用の画面情報に関連する第２表示部用の画面情報が代替情報として表示されている状態において、この第２表示部用の画面情報内に表示履歴のパラメータ情報を表示するようにしたので、第１表示部の操作履歴を第２表示部にそのまま反映させることができ、受け継ぎ表示が適切となり、作業の継続性に富んだものとなる。
【００８５】
所定のスタイルに応じて第２表示部への表示を指示するようにしたので、使用状態に応じてスタイルを変更するだけで第２表示部への表示を指示することができ、第２表示部への表示が自然なものとなる。
【００８６】
ユーザ操作に応じて第２表示部への表示を指示するようにしたので、ユーザの意図に従って第２表示部への表示を指示することができる。
【００８７】
表示切替が指示された場合に、第１表示部又は第２表示部に表示されている情報を第１表示情報に相当する第２表示情報が存在しない場合には、この第１表示情報に関連する第２表示情報を代替情報として特定して、第１表示情報が表示されていた表示部以外の表示部に表示させるようにしたので、第１表示部から第２表示部への切り替え、又は第２表示部から第１表示部への切り替え表示（受け継ぎ表示）を適切に行うことができ、利便性に富んだものとなる。
【００８８】
なお、上述した実施形態においては、第１表示部から第２表示部への画面情報の切り替えを行ったり、又は第２表示部から第１表示部への画面情報の切り替え表示（受け継ぎ表示）を行ったりするようにしたが、それに限らず、任意であり、例えば、両方の表示部に画面情報を表示させるようにしてもよい。この場合、一方の表示部では画面を拡大表示、他方の表示部では画面を縮小表示させるなど、両方の表示部の表示形態を任意に変更するようにしてもよい。
【００８９】
上述した実施形態においては、携帯電話機の内側の画面（メイン表示部の画面）と外側の画面（サブ表示部の画面）との表示を切り替える場合を例示したが、内側の画面同士での表示を切り替えであってもよい。また、上述した実施形態においては、メイン表示部、サブ表示部としたが、３つ以上の表示部であってもよいし、複数の同等の表示部であってもよい。また、画面は実施形態に例示された画面に限らず、例えば、発信履歴リスト、カメラのモニタ画面、送信メール入力中画面など、任意の画面であってもよい。
【００９０】
また、表示履歴に基づいて代替画面を特定する場合に、表示情報は階層構造を有しない表示情報であってもよい。また、表示部に表示された表示情報を表示履歴として記憶するようにしたが、表示部に表示させるための表示情報を一時記憶するようにしてよく、また、表示情報ごとに表示中フラグを備え、現在表示されている表示情報の表示中フラグを“１”にするようにしてもよい。
【００９１】
上述した各実施形態においては、２軸ヒンジタイプの携帯電話機に適用したが、ストレートタイプ、スライドタイプ、スピントップタイプなど任意の筐体構造であってもよい。また、上述した実施形態においては、端末装置として携帯電話機を例示したが、これに限らず、例えば、パーソナルコンピュータ、ＰＤＡ、デジタルカメラ、音楽プレイヤー、それらの複合機など、任意の端末装置であってもよい。
【００９２】
上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００９３】
１  携帯電話機
１１  中央制御部
１３  記憶部
１６  メイン表示部
１７  サブ表示部
１８  操作部
２１  スタイル検出センサ
Ｍ１  プログラム記憶部
Ｍ３  画面情報記憶部
Ｍ４  表示履歴記憶部
Ｍ５  スタイル情報記憶部
【図１】
2011096178.tif 000003
【図２】
2011096178.tif 000004
【図３】
2011096178.tif 000005
【図４】
2011096178.tif 000006
【図５】
2011096178.tif 000007
【図６】
2011096178.tif 000008
【図７】
2011096178.tif 000009
【図８】
2011096178.tif 000010
【図９】
2011096178.tif 000011
【図１０】
2011096178.tif 000012
【図１１】
2011096178.tif 000013
【図１２】
2011096178.tif 000014